(57)【特許請求の範囲】
【請求項１】
（Ａ）内部に消火剤（１２）を収容し開口部を封鎖部材（２０）により封鎖される容器（１０）、
（Ｂ）前記容器（１０）内に形成され前記消火剤（１２）を加圧するガスを蓄圧する蓄圧空間（１８）、
（Ｃ）前記封鎖部材（２０）又は前記容器（１０）の内面に形成され前記蓄圧空間（１８）に面する管状内壁（３０）、
（Ｄ）前記管状内壁（３０）に穿設され前記蓄圧空間（１８）と前記容器（１０）外とを連通させるガス導入孔（２６）、及び、
（Ｅ）外面を前記管状内壁（３０）に当接させ前記ガス導入孔（２６）を封鎖する弾性管部材（２８）、を有し、
前記封鎖部材（２０）は前記容器（１０）の頂部に取り付けられるヘッド部材（２０）であり、前記蓄圧空間（１８）は前記容器（１０）内において前記消火剤（１２）の占める空間より上部に形成され、前記消火剤（１２）を前記容器（１０）外へ導出する誘導管（３６）が前記弾性管部材（２８）の内側を通過するように前記封鎖部材（２０）に装着されていることを特徴とする消火器。
【請求項２】
（Ａ）内部に消火剤（１２）を収容し開口部を封鎖部材（６０）により封鎖される容器（１０）、
（Ｂ）前記容器（１０）内に形成され前記消火剤（１２）を加圧するガスを蓄圧する蓄圧空間（１８）、
（Ｃ）前記封鎖部材（６０）又は前記容器（１０）の内面に形成され前記蓄圧空間（１８）に面する平面状内壁（６４）、
（Ｄ）前記平面状内壁（６４）に穿設され前記蓄圧空間（１８）と前記容器（１０）外とを連通させるガス導入孔（２６）、及び、
（Ｅ）前記平面状内壁（６４）に当接して前記ガス導入孔（２６）を封鎖する弾性板部材（６２）、を有し、
前記封鎖部材（６０）は前記容器（１０）の頂部に取り付けられるヘッド部材（６０）であり、前記蓄圧空間（１８）は前記容器（１０）内において前記消火剤（１２）の占める空間より上部に形成され、前記弾性板部材（６２）は中央部に通過孔が穿設され、前記消火剤（１２）を前記容器（１０）外へ導出する誘導管（３６）が前記弾性板部材（６２）に穿設された前記通過孔を通過するように前記封鎖部材（６０）に装着されていることを特徴とする消火器。
【発明の詳細な説明】
【０００１】
【発明の属する技術分野】
この発明は、消火剤の収容される容器内に圧縮ガスを蓄圧する蓄圧式の消火器のうち、圧縮ガス充填専用のバルブ装置を有する消火器に関するものである。
【０００２】
【従来の技術】
蓄圧式の消火器は、粉末又は液体の消火剤を容器内に収容し、さらに、容器内に圧縮ガスを蓄圧されている。火災源に消火剤を放射するときには、消火剤放出用の開閉バルブを開にするが、このとき、圧縮ガスによって加圧される消火剤は誘導管（サイホン）を通じて外部に放出される。
【０００３】
このような蓄圧式の消火器においては、容器内にガスを充填する必要があるが、ガスの充填を消火剤放出用の管路を通じて行うとサイホンを通じて消火剤中に直接ガスを吹き込むことになり、特に消火剤が粉末の場合、消火剤を容器内で巻き上げてしまったり、開閉バルブにかみ込んでバルブが閉止しなくなるといった問題が起こる。そのため、消火剤中に直接ガスを吹き込まない位置に専用のガス充填口を設けることが必要となってくる。
【０００４】
ガス充填口を専用に用いたものとしては、特開平９−３１３６３４号公報に示された、容器又は容器に固定される基材（ヘッド部材）に、注入管を配設したものがある。この注入管は、片側のみが開口して容器外に突出し、また、容器内に収められる部分には小孔が開けられガスの流通を可能としている。注入管の小孔が開けられる部分にはゴム管が外側から被されている。容器内にガスを充填するときには、ガスは、注入管の開口側から注入管内を通過して小孔より注入管の外側に流出し、注入圧によってゴム管と注入管外面の間を通過して容器内部の空間に充填される。容器内に充填されたガスは、容器内のガス圧によってゴム管が小孔に押し付けられるので、外部に流出はしない。
【０００５】
【発明が解決しようとする課題】
従来の消火器におけるガス充填口では、ガスが、注入管の内側がら外側へと通過して充填される構造のため、注入管を容器又は容器に固定される基材とは別の部材として新たに設ける必要があり、さらに、注入管を容器又は容器に固定される基材に取り付けるための手段が必要となり、コストの上昇を招いてしまう。
【０００６】
この発明の目的は、注入管のような新たな部材を用いることなく低コストで生産できる、専用のガス充填口を有する蓄圧式の消火器を提供することである。
【０００７】
【課題を解決するための手段】
この発明の消火器は次の（Ａ）〜（Ｅ）の要素を有している。
（Ａ）内部に消火剤（１２）を収容し開口部を封鎖部材（２０）により封鎖される容器（１０）。
（Ｂ）容器（１０）内に形成され消火剤（１２）を加圧するガスを蓄圧する蓄圧空間（１８）。
（Ｃ）封鎖部材（２０）又は容器（１０）の内面に形成され蓄圧空間（１８）に面する管状内壁（３０）。
（Ｄ）管状内壁（３０）に穿設され蓄圧空間（１８）と容器（１０）外とを連通させるガス導入孔（２６）。
（Ｅ）外面を管状内壁（３０）に当接させガス導入孔（２６）を封鎖する弾性管部材（２８）。
【０００８】
管状内壁（３０）は封鎖部材（２０）及び容器（１０）のどちらか一方のみに形成されてもよいし、両者にまたがって形成されても良い。管状内壁（３０）や弾性管部材（２８）の形状は、円管状に限定されず、三角管状や多角管状であっても良い。弾性管部材（２８）は通常ゴム管（２８）とされるが、蓄圧空間（１８）の密封が保てるものであれば材質は問わない。
【０００９】
容器（１０）は消火剤（１２）を収容した後、封鎖部材（２０）によって封鎖され、容器（１０）の内部には消火剤（１２）を加圧するガスの蓄圧が可能な蓄圧空間（１８）が形成される。蓄圧空間（１８）へのガスの充填は、加圧ガス供給源からガス導入孔（２６）を通じてなされるが、加圧ガス供給源により圧送されるガスは、ガス導入孔（２６）を通過した後、送圧により管状内壁（３０）と弾性管部材（２８）の外面との間に生じたすきまより蓄圧空間（１８）に進入する。一方、ガスの充填が終了すると、蓄圧空間（１８）内のガスの蓄圧により弾性管部材（２８）は膨張して外面を管状内壁（３０）に密着させるので、蓄圧空間（１８）に蓄圧されたガスが、ガス導入孔（２６）を通じて容器（１０）外に流出するのを阻止される。このように、蓄圧空間（１８）内のガスの密封が、封鎖部材（２０）又は容器（１０）に形成された管状内壁（３０）と弾性管部材（２８）の外面との間でなされるので、注入管のような新たな部材を設けることなくガスの充填が可能となる。
【００１０】
この発明の消火器によれば、封鎖部材（２０）は容器（１０）の頂部に取り付けられるヘッド部材（２０）であり、蓄圧空間（１８）は容器（１０）内において消火剤（１２）の占める空間より上部に形成され、消火剤（１２）を容器（１０）外へ導出する誘導管（３６）が弾性管部材（２８）の内側を通過するようにヘッド部材（２０）に装着されている。
【００１１】
容器（１０）内に収容された消火剤（１２）は重力により容器（１０）下部に位置して、容器（１０）上部の空いた空間が蓄圧空間（１８）となる。消火剤（１２）は、蓄圧空間（１８）内に蓄圧されたガスにより加圧され、誘導管（３６）を通じて容器（１０）外へ送出される。ヘッド部材（２０）は、誘導管（３６）等を装着されユニット化された状態で容器（１０）の頂部に取り付けられる。この際、誘導管（３６）は蓄圧空間（１８）を通過して消火剤（１２）に突き刺さるが、弾性管部材（２８）は、誘導管（３６）に内側を通過させるように配置されているため、管状内壁（３０）をヘッド部材（２０）に形成して、弾性管部材（２８）をヘッド部材（２０）にユニット化するときの構造を簡単にし、低コスト化できる。
【００１２】
この発明の消火器は次の（Ａ）〜（Ｅ）の要素を有している。
（Ａ）内部に消火剤（１２）を収容し開口部を封鎖部材（６０）により封鎖される容器（１０）。
（Ｂ）容器（１０）内に形成され消火剤（１２）を加圧するガスを蓄圧する蓄圧空間（１８）。
（Ｃ）封鎖部材（６０）又は容器（１０）の内面に形成され蓄圧空間（１８）に面する平面状内壁（６４）。
（Ｄ）平面状内壁（６４）に穿設され蓄圧空間（１８）と容器（１０）外とを連通させるガス導入孔（２６）。
（Ｅ）平面状内壁（６４）に当接してガス導入孔（２６）を封鎖する弾性板部材（６２）。
【００１３】
容器（１０）は消火剤（１２）を収容した後、封鎖部材（６０）によって封鎖され、容器（１０）の内部には消火剤（１２）を加圧するガスの蓄圧が可能な蓄圧空間（１８）が形成される。蓄圧空間（１８）へのガスの充填は、加圧ガス供給源からガス導入孔（２６）を通じてなされるが、加圧ガス供給源により圧送されるガスは、ガス導入孔（２６）を通過した後、送圧により平面状内壁（６４）と弾性板部材（６２）の接触面との間に生じたすきまより蓄圧空間（１８）に進入する。一方、ガスの充填が終了すると、蓄圧空間（１８）内のガスの蓄圧により弾性板部材（６２）は管状内壁（３０）に密着するので、蓄圧空間（１８）に蓄圧されたガスが、ガス導入孔（２６）を通じて容器（１０）外に流出するのを阻止される。このように、蓄圧空間（１８）内のガスの密封が、封鎖部材（６０）又は容器（１０）に形成された平面状内壁（６４）と弾性板部材（６２）との間でなされるので、注入管のような新たな部材を設けることなくガスの充填が可能となる。
【００１４】
この発明の消火器によれば、封鎖部材（６０）は容器（１０）の頂部に取り付けられるヘッド部材（６０）であり、蓄圧空間（１８）は容器（１０）内において消火剤（１２）の占める空間より上部に形成され、弾性板部材（６２）は中央部に通過孔が穿設され、消火剤（１２）を容器（１０）外へ導出する誘導管（３６）が弾性板部材（６２）に穿設された通過孔を通過するように封鎖部材（６０）に装着されている。
【００１５】
容器（１０）内に収容された消火剤（１２）は重力により容器（１０）下部に位置して、容器（１０）上部の空いた空間が蓄圧空間（１８）となる。消火剤（１２）は、蓄圧空間（１８）内に蓄圧されたガスにより加圧され、誘導管（３６）を通じて容器（１０）外へ送出される。ヘッド部材（６０）は、誘導管（３６）等を装着されユニット化された状態で容器（１０）の頂部に取り付けられる。この際、誘導管（３６）は蓄圧空間（１８）を通過して消火剤（１２）に突き刺さるが、弾性板部材（６２）は、誘導管（３６）に通過孔を通過させるように配置されているため、平面状内壁（６４）をヘッド部材（６０）に形成して、弾性板部材（６２）をヘッド部材（６０）にユニット化するときの構造を簡単にし、低コスト化できる。
【００１６】
【発明の実施の形態】
以下、この発明の実施の形態について図面を参照して説明する。
図１は自動消火型消火器２の主要部のみ断面で示した側面図であり、図２は自動消火型消火器２のヘッド部材２０の部分を拡大した断面図である。粉末又は液体の消火剤１２は、容器１０に収容され、重力により容器１０の下部に沈んでいる。容器１０は上部が開口し、開口部には口金１４が形成されている。ヘッド部材２０は容器１０の頂部より容器１０の開口部を封鎖している。キャップ１６は、ヘッド部材２０の外面に形成された段部３４に係合した上で容器１０の口金１４に螺着し、ヘッド部材２０を容器１０の口金１４に固定している。Ｏリング２２は、口金１４とヘッド部材２０の間の機密を保つ。蓄圧空間１８は、容器１０内における消火剤１２の上方の空いた空間であり、消火剤１２を加圧するためのガスの蓄圧が可能となっている。
【００１７】
ヘッド部材２０には、鉛直方向に貫通する通路５０が形成されている。サイホン３６は、容器１０内において鉛直方向を向くよう配設されており、下端部が容器１０に収容されている消火剤１２内に挿入されつつ容器１０の底部近辺において開口し、上端部開口がヘッド部材２０の下側より通路５０に接続されるよう、ヘッド部材２０に螺着・結合している。誘導管であるサイホン３６は、容器１０に収容される消火剤１２を、通路５０を介して容器１０へ導く。導出管４４は、ヘッド部材２０の上側より接続金具４２を介して通路５０に接続され、サイホン３６により導出される消火剤１２を火災感知ノズル４６へ導く。火災感知ノズル４６は、家庭用ガスレンジの上部等、火災の発生しそうな場所に配置され、火災の発生により高熱が発生すると溶融金属の溶解により開詮して消火剤１２の放射を許容する。導出管４４は、金属管又は不燃性合成樹脂のパイプであり、変形自在でかつ変形した形状を保持可能なので、火災感知ノズル４６を任意の場所に配置できる。カバー４８は、ヘッド部材２０を外側から覆って美観を保つ。
【００１８】
ヘッド部材２０の内面には、サイホン３６の中心軸と同軸でサイホン３６よりも大径である円管状の管状内壁３０が形成されており、管状内壁３０は、蓄圧空間１８に面している。ガス充填口２４は、ヘッド部材２０の外面に開口して、蓄圧空間１８へのガス充填時にガスの供給を受ける。ガス導入孔２６は、ガス充填口２４と蓄圧空間１８とを連通させるようにヘッド部材２０に穿設され、管状内壁３０において蓄圧空間１８側に開口している。ゴム管２８は、外径が管状内壁３０の径とほぼ等しい円管状の形状をしており、内側にサイホン３６を挿通された状態で、外面を管状内壁３０に当接させてガス導入孔２６を封鎖するように配設されている。Ｃ型止め輪３２は、サイホン３６に装着されて、ゴム管２８の鉛直方向下側への落下を阻止している。圧力計４０は、連通孔３８によって圧力感知部を蓄圧空間１８に連通され、蓄圧空間１８内の圧力を表示する。
【００１９】
自動消火型消火器２の組立は、容器１０内に消火剤１２を充填した後、ヘッド部材２０にサイホン３６、導出管４４、火災感知ノズル４６、ゴム管２８、圧力計４０等ユニット化したものを容器１０に装着し、キャップ１６によって固定する。こうしたユニット化により組立を能率化しているが、特に、ゴム管２８の内側をサイホン３６が通過するような配置としたため、ゴム管２８のヘッド部材２０へのユニット化を容易にしている。
【００２０】
蓄圧空間１８へのガスの充填は、加圧ガス供給装置をガス充填口２４に接続してガスを圧送することにより行う。このとき、ガス充填口２４からガス導入孔２６を通じて管状内壁３０に到達したガスは、ガスの送圧により管状内壁３０とゴム管２８との間に生じた隙間より蓄圧空間１８内に進入する。蓄圧空間１８の内圧が所定の圧力に達すればガスの充填は完了するが、蓄圧空間１８内のガス圧によりゴム管２８は内側を押されて膨張した状態となり、管状内壁３０に密着してガス導入孔２６を密封するので、蓄圧空間１８内のガスがガス導入孔２６を通じて容器１０外に漏れることはない。このように、剛性管の外側から内側へとガスが通過し、剛性管の内面と弾性管の外面との間で密封される構造のため、注入管のような新たな部材を付加すること無く専用のガス充填口２４を設けることができる。自動消火型消火器２の耐用期間中にゴム管２８が劣化して蓄圧空間１８の内圧が低下するのを防ぐため、ガス充填の終了後にガス充填口２４は、プラグ（図示せず）により完全に密封される。
【００２１】
消火剤１２は、蓄圧空間１８内に蓄圧されるガスにより加圧され、サイホン３６を通って上昇し、さらに、導出管４４を通って火災感知ノズル４６の手前まで送出される。火災感知ノズル４６が火災を感知して開詮すると、ガスの加圧により消火剤１２は火災源へ向けて噴射される。
【００２２】
図３はレバー式の消火器４の断面図である。前述の自動消火型消火器２と共通する部分は同じ符号を用いて説明を省略し、相違点についてのみ説明する。ヘッド部材６０には自動消火型消火器２のヘッド部材２０における通路５０の代わりに、容器１０内に開口し鉛直方向に延びる部分と外部へ開口して水平方向に延びる部分からなるＬ字型の通路８８が形成されている。通路８８の容器１０内開口側にはサイホン３６が接続され、外部開口側には接続金具８４を介してホース（図示せず）が接続されている。パッキン８６は、ヘッド部材６０と接続金具８４の密封を保つ。通路８８の鉛直方向に延びる部分には開閉弁８０が配設され、消火剤１２の通過が制御される。開閉弁８０には弁棒８２が一体的に形成され、弁棒８２は、鉛直方向に移動自在にヘッド部材６０に嵌挿され、上端部をヘッド部材６０の外部に突出させている。シール材９０はヘッド部材６０に形成された凹部内に配設されて弁棒８２に摺接し、ヘッド部材６０と弁棒８２の間のシール性を保つ。止め輪７２は弁棒８２の上端部に装着され、圧縮コイルバネ７６は、弁棒８２に嵌装されつつ止め輪７２によって係止される座金７４とヘッド部材６０の上面との間に縮設されて弁棒８２を上側へ付勢し、開閉弁８０を閉じるようにしている。レバー装置６６は、ヘッド部材２０に固定される下側レバー６８とピン７８によってヘッド部材６０に枢支される上側レバー７０とを有している。上側レバー７０を、ピン７８を支点に下方へ押し込むと、上側レバー７０によって弁棒８２の上端部は下方に押圧され、開閉弁８０が開くようになっている。
【００２３】
ヘッド部材６０の下側には、蓄圧空間１８に面する平面状内壁６４が形成されている。ガス導入孔２６は、平面状内壁６４において蓄圧空間１８側に開口している。ゴム板６２は、中央部に円形の通過孔の穿設されたドーナツ状の円盤形状をしており、通過孔にサイホン３６を挿通された状態で、平面状内壁６４に当接してガス導入孔２６を封鎖するように配設されている。Ｃ型止め輪３２は、サイホン３６に装着されて、ゴム管２８の鉛直方向下側への落下を阻止している。
【００２４】
蓄圧空間１８へのガスの充填時に、ガスは、ガスの送圧により平面状内壁６４とゴム板６２との間に生じた隙間より蓄圧空間１８内へと進入する。ガスが充填されると、蓄圧空間１８の内圧によりゴム板６２は平面状内壁６４に押し付けられ、蓄圧空間１８内のガスがガス導入孔２６を通じて容器１０外に漏れることはない。
【００２５】
消火剤１２は、蓄圧空間１８内に蓄圧されるガスにより加圧され、サイホン３６を通って開閉弁８０の手前まで上昇している。レバー式の消火器４の使用時には、接続金具８４に接続されるホースを火災源に向け、上側レバー７０及び下側レバー６８を把持して、上側レバー７０を下方に押し込む。すると、開閉弁８０が開いて、消火剤１２が火災源に向けて噴射される。
【図面の簡単な説明】
【図１】自動消火型消火器の主要部のみ断面で示した側面図
【図２】自動消火型消火器のヘッド部材の部分を拡大した断面図
【図３】レバー式の消火器の断面図
【符号の説明】
１０  容器
１２  消火剤
１８  蓄圧空間
２０  ヘッド部材（封鎖部材）
２６  ガス導入孔
２８  ゴム管（弾性管部材）
３０  管状内壁
３６  サイホン（誘導管）
６０  ヘッド部材（封鎖部材）
６２  ゴム板（弾性板部材）
６４  平面状内壁
【図１】
0003705568.tif 000002
【図２】
0003705568.tif 000003
【図３】
0003705568.tif 000004